(57)【要約】【課題】長い髪を束ねて良く結束することや長い髪を束ねて良く結束した際に装飾的な美を向上することである。【解決手段】直線状のゴム紐１の両端と、少なくとも１本の紐状物である繊維紐２の１方の端部とを、止着具３で止着して繊維紐付きリング状のゴム紐４にし、この繊維紐付きリング状のゴム紐４に止着した繊維紐２の他方の端部に、装飾体６を、止着具７で止着して設けたヘアーゴム８である。【選択図】図１
2009195664.tif 000002
【特許請求の範囲】
【請求項１】
直線状のゴム紐の両端と、少なくとも１本の紐状物の１方の端部とを、止着して紐状物付きリング状のゴム紐にし、該紐状物付きリング状のゴム紐に止着した紐状物の他方の端部に、装飾体を、設けたことを特徴とするヘアーゴム。
【請求項２】
リング状のゴム紐が、ゴム紐に、ゴム紐の太さより大きい通し穴を有する取付具を装飾体の裏側に設けた装飾体を、装飾体の取付具の通し穴にゴム紐を通して少なくとも１個設けてなる請求項１記載のヘアーゴム。
【請求項３】
リング状のゴム紐に、少なくとも１本の紐状物の１方の端部を、止着して紐状物付きリング状のゴム紐にし、該紐状物付きリング状のゴム紐に止着した紐状物の他方の端部に、装飾体を、設けたことを特徴とするヘアーゴム。
【請求項４】
ゴム紐が、直線状のゴム紐の両端又はリング状のゴム紐に、少なくとも１本の紐状物の１方の端部とを、結んで止着してなる請求項１又は３記載のヘアーゴム。
【請求項５】
ゴム紐が、直線状のゴム紐の両端又はリング状のゴム紐に、少なくとも１本の紐状物の１方の端部とを、止着具で止着してなる請求項１又は３記載のヘアーゴム。
【請求項６】
紐状物付きリング状のゴム紐が、紐状物に、紐状物の太さより大きい通し穴を有する取付具を装飾体の裏側に設けた装飾体を、装飾体の取付具の通し穴に紐状物を通して少なくとも１個設けてなる請求項１又は３記載のヘアーゴム。
【請求項７】
紐状物が、ゴム紐である請求項１又は３記載のヘアーゴム。
【請求項８】
紐状物が、繊維紐、革紐、合成樹脂紐、レーステープ、布テープのいずれか１つである請求項１又は３記載のヘアーゴム。
【請求項９】
紐状物が、２本であるとともに２本とも同じ種類の紐状物又は１本ずつ異なる種類の紐状物である請求項１又は３記載のヘアーゴム。
【請求項１０】
装飾体が、釦状の装飾体である請求項１又は３記載のヘアーゴム。
【請求項１１】
装飾体が、人工宝石、宝石、ブローチ、鈴、おもちゃ、動物の形状体のいずれか１つ以上である請求項１又は３記載のヘアーゴム。
【発明の詳細な説明】
【技術分野】
【０００１】  この発明は、髪を束ねて結う時に使用するものであり、髪飾りを備えたヘアーゴムに係るものである。
【背景技術】
【０００２】  従来のヘアーゴムは、髪を束ねて結う時に、リング状のヘアーゴムを使用して長い髪を束ねて結んでいる。更に別の従来のヘアーゴムとしては、織物の中央部に引き伸ばされた弾性部材を設けたヘアーゴムで長い髪を束ねて結んでいる。【０００３】  これらの従来のヘアーゴムでは、１本のヘアーゴムだけで長い髪の１箇所を束ねて結っているので、結う強度などであまり好ましくないという問題点があったし、束ねて結っただけでは装飾的な美しさが殆どないとともにファツション性の点からも好ましくないという問題点があった。
【特許文献１】  米国特許第２６６８５４７号
【発明の開示】
【発明が解決しようとする課題】
【０００４】  この発明は、これらの従来のヘアーゴムが有するこれらの問題点を解消し、長い髪を束ねて良く結束することや長い髪を束ねて良く結束した際に装飾的な美を向上することなどである。
【問題を解決するための手段】
【０００５】  この発明のヘアーゴムは、直線状のゴム紐の両端と、少なくとも１本の紐状物の１方の端部とを、止着して紐状物付きリング状のゴム紐にし、この紐状物付きリング状のゴム紐に止着した紐状物の他方の端部に、装飾体を、設けたものである。
【発明の効果】
【０００６】  この発明のヘアーゴムは、直線状のゴム紐の両端と、少なくとも１本の紐状物の１方の端部とを、止着して紐状物付きリング状のゴム紐にし、この紐状物付きリング状のゴム紐に止着した紐状物の他方の端部に、装飾体を、設けたものであるから、ヘアーゴムのリング状のゴム紐で長い髪を束ねて結うことができるとともにゴム紐に止着した紐状物は、紐状物の他方の端部に設けた装飾体が重りの役目を果たすために束ねて結った長い髪の上を長い髪と同方向であるゴム紐の真下方向に正確に吊下げることができて、紐状物の真下方向に正確に吊下げと紐状物の装飾体とが相俟って装飾的な美を向上することができるし、この紐状物をゴム紐の周囲に巻きながら結束した長い髪に巻付け、巻初めと巻終りの紐状物同志を仮止め止着して結った長い髪を再び紐状物で結うことにより長い髪はゴム紐と紐状物との双方で結われるために長い髪を強く良く結うことができるとともにゴム紐と紐状物の１方が長期間使用中に劣化して切れたり、外力により切れたりしても他方の切れてない紐状物又はゴム紐により長い髪は結われた状態を保持することができる。かつ、このようにゴム紐と紐状物とで結われるため１方が切れた際に、切れてない他方が髪を保持結束しているのでヘアーゴムが髪から落下せず、ヘアーゴムの装飾体などの紛失を防止できるという効果がある。そして、長い髪をゴム紐で結束する際に長い髪の表面の中央に紐状物の上端が常になるように結うことは困難であるので、結束した長い髪の表面の中央より左右方向に外れた紐状物の上端部をゴム紐に絡ませたり、巻付けたりしながら移動することにより紐状物の吊下部を結束した長い髪の表面の中央の位置に設けることができるし、長い紐状物をゴム紐に絡ませたり、巻付けたり、ゴム紐で結束した長い髪の周囲に巻付けてゴム紐に絡ませたりして紐状物の長さを使用者の希望の長さと髪の長さなどに応じて吊下げ長さを随時調整することができる。更に、ゴム紐で結束した長い髪の中間部に長い紐状物の中間部を巻付けて紐状物の巻き初めと巻き終りの紐状物同志を仮止め止着して２番目の結い部を長い髪に設けることにより長い髪はその上部と中間部の２箇所で綺麗に安定した状態で結うことができる。
【０００７】  請求項２のヘアーゴムにおいては、リング状のゴム紐に、ゴム紐の太さより大きい通し穴を有する取付具を装飾体の裏側に設けた装飾体を、装飾体の取付具の通し穴にゴム紐を通して少なくとも１個設けたから、装飾体はゴム紐に通した取付具の通し穴によりゴム紐に沿って移動自在であるためにリング状のゴム紐で長い髪を束ねて結う際に、装飾体を結束した長い髪の表面の中央の位置に移動して使用者が希望する中央に装飾体を常に設けることができるし、使用者が希望すれば、結束した長い髪の左側向き又は右側向きの方向に装飾体を移動して設けることができる。更に、３個の装飾体を使用者が希望すれば、予め３個の装飾体の通し穴にそれぞれゴム紐を通して造ったゴム紐で結束した長い髪の中央と左側向きと右側向きとの３方向に装飾体を移動して結束した長い髪に装飾体を３個設けることができるとともに３個の装飾体により装飾的な美を向上することができる。
【０００８】  請求項３のヘアーゴムにおいては、リング状のゴム紐に、少なくとも１本の紐状物の１方の端部を、止着して紐状物付きリング状のゴム紐にし、この紐状物付きリング状のゴム紐に止着した紐状物の他方の端部に、装飾体を、設けたから、紐状物をリング状のゴム紐にいかなる位置にも止着することができて、簡単に止着することができるとともに紐状物に設けた装飾体により装飾的な美を向上することができる。
【０００９】  請求項４のヘアーゴムにおいては、ゴム紐が、直線状のゴム紐の両端又はリング状のゴム紐に、少なくとも１本の紐状物の１方の端部とを、結んで止着したから、紐状物の１方の端部と直線状のゴム紐の両端又はリング状のゴム紐とで結ぶことにより簡単に止着することができる。
【００１０】  請求項５のヘアーゴムにおいては、ゴム紐が、直線状のゴム紐の両端又はリング状のゴム紐に、少なくとも１本の紐状物の１方の端部とを、止着具で止着したから、紐状物の１方の端部と直線状のゴム紐の両端又はリング状のゴム紐とを止着具で止着することにより簡単に止着することができる。
【００１１】  請求項６のヘアーゴムにおいては、紐状物付きリング状のゴム紐が、紐状物に、紐状物の太さより大きい通し穴を有する取付具を装飾体の裏側に設けた装飾体を、装飾体の取付具の通し穴に紐状物を通して少なくとも１個設けたから、装飾体は裏側に設けた取付具の通し穴により紐状物に沿って上下方向に移動自在で、かつ回転自在であるために紐状物に使用者が希望する箇所に上下移動したり、装飾体の向く方向を表側や左側や右側の方向に回転したりして装飾体を最も良い状態体に設けることができる。更に、３個の装飾体を使用者が希望すれば、予め３個の装飾体の通し穴に紐状物を通して造った紐状物を使用して長い髪の表面に沿って吊下げて表面側と左側と右側との３方向に装飾体を少々回転して方向の異なる３個の装飾体を長い髪の表側に吊下げて設けることができるとともに３個の装飾体により装飾的な美を向上することができる。
【００１２】  請求項７のヘアーゴムにおいては、紐状物がゴム紐であるから、リング状のゴム紐で長い髪を巻付けて結束した長い髪のゴム紐の周囲に、再び紐状物であるゴム紐を巻付け、巻初めと巻終りの紐状物であるゴム紐を仮止め止着して結うことにより長い髪はリング状のゴム紐と紐状物であるゴム紐との双方で結われるために長い髪を強く良く結うことができるし、リング状のゴム紐で結束した長い髪の下側中間部に、長い紐状物であるゴム紐の中間部を、巻付けて紐状物であるゴム紐の巻き初めと巻き終りの紐状物であるゴム紐同志を仮止め止着して２番目の結い部を長い髪に設けることにより長い髪はその上部と中間部の２箇所で綺麗に安定した状態で強く良く結うことができる。
【００１３】  請求項８のヘアーゴムにおいては、紐状物が繊維紐、革紐、合成樹脂紐、レーステープ、布テープのいずれか１つであるから、リング状のゴム紐で長い髪を巻付けて結束した長い髪のゴム紐の周囲に、再び繊維紐などの紐状物を巻付け、巻初めと巻終りの繊維紐などの紐状物を仮止め止着して結うことにより長い髪はリング状のゴム紐と繊維紐などの紐状物との双方で結われるために長い髪を強く良く結うことができるし、リング状のゴム紐で結束した長い髪の下側中間部に、長い繊維紐などの紐状物の中間部を、巻付けて繊維紐などの紐状物の巻き初めと巻き終りの繊維紐などの紐状物同志を仮止め止着して２番目の結い部を長い髪に設けることにより長い髪はその上部と中間部の２箇所で綺麗に安定した状態で強く良く結うことができる。
【００１４】  請求項９のヘアーゴムにおいては、紐状物が、２本であるとともに２本とも同じ種類の紐状物又は１本ずつ異なる種類の紐状物あるから、リング状のゴム紐で長い髪を巻付けて結束した長い髪のゴム紐の周囲に、２本のうちの１本の紐状物を再び巻付け、巻初めと巻終りの紐状物を仮止め止着して結うと、長い髪はリング状のゴム紐と紐状物との双方で結われるために長い髪を強く良く結うことができるとともに１本の紐状物は巻付けた分だけ短く吊下がり、他の１本の紐状物は巻付けてない分だけ長く吊下がるので、それぞれの紐状物の下端に装飾体を設けてあるために２本の紐状物下端の装飾体は吊下が位置が上下相違して装飾的な美を向上することができるし、リング状のゴム紐で結束した長い髪の下側中間部に、１本の長い紐状物の中間部を、巻付けて紐状物の巻き初めと巻き終りの紐状物同志を仮止め止着して２番目の結い部を長い髪に設けると、長い髪はその上部と中間部の２箇所で綺麗に安定した状態で強く良く結うことができるとともに１本の紐状物は巻付けた分だけ短く吊下がり、他の１本の紐状物は巻付けてない分だけ長く吊下がるので、それぞれの紐状物の下端に装飾体を設けてあるために２本の紐状物下端の装飾体は吊下が位置が上下相違して装飾的な美を向上することができる。
【００１５】  請求項１０のヘアーゴムにおいては、装飾体が釦状の装飾体であるから、釦を取付穴に挿入止着したり、取付穴より取外したりすることが簡単であるのと同様に、釦状の装飾体でを紐状物と一緒にリング状のゴム紐と髪との間に挿入止着したり、取外したりすることが簡単にできるとともに釦状の装飾体の向きを髪の正面向きや左向きや右向きに紐状物と一緒に移動して良い状態で釦状の装飾体を髪に取付けることができるし、釦状の装飾体をリング状のゴム紐より吊下げた状態で髪に取付けることができる。更に、紐状物に設けた釦状の装飾体により装飾的な美を向上することができる。
【００１６】  請求項１１のヘアーゴムにおいては、装飾体が人工宝石、宝石、ブローチ、鈴、おもちゃ、動物の形状体のいずれか１つ以上であるから、人工宝石などの装飾体でを紐状物と一緒にリング状のゴム紐と髪との間に挿入止着したり、取外したりすることが簡単にできるとともに人工宝石などの装飾体の向きを髪の正面向きや左向きや右向きに紐状物と一緒に移動して良い状態で人工宝石などの装飾体を髪に取付けることができるし、人工宝石などの装飾体をリング状のゴム紐より吊下げた状態で髪に取付けることができる。更に、紐状物に設けた人工宝石などの装飾体により装飾的な美を向上することができる。
【発明を実施するための最良の形態】
【００１７】  ヘアーゴムは、直線状のゴム紐の両端と少なくとも１本の紐状物の１方の端部とを止着して紐状物付きリング状のゴム紐にし、この紐状物付きリング状のゴム紐に止着した紐状物の他方の端部に装飾体を設けたヘアーゴムである。
【実施例１】
【００１８】  ヘアーゴムは、図１から図５に図示のように３個の装飾体５を移動自在に係止した直線状のゴム紐１の両端１′，１″と、１本の紐状物である繊維紐２の１方の端部２′とを、止着具３で止着して紐状物付きリング状のゴム紐４にする。
この繊維紐付きリング状のゴム紐４に止着した繊維紐２の他方の端部２″に装飾体６を止着具７で止着して設けたヘアーゴム８である。【００１９】  この実施例１のヘアーゴム８を造る際は、図４図示の装飾体５の裏側に設けた通し穴５′に、直線状のゴム紐１を通し、次に、上部に小さな穴３′を有して下部に大きな穴３″を有する外観が良く装飾を兼ねた中空楕円形の止着具（丸管）３の穴３′，３″（図３底面図図示）に、直線状のゴム紐１の両端を、下部の大きな穴３″の先まで貫通させて差込み、下部の大きな穴３″から出てきたゴム紐１の両端と繊維紐２の１方の端部（上端部）２′とを結び、その後にゴム紐１を上に引上げることにより結び目は止着具の下部の大きな穴３″に入るが、上部の小さな穴３′からは抜け出られないためにこの結び目は中空楕円形の止着具３の中に収納される。この止着具３の大きな穴３″から接着剤を注入してゴム紐１と繊維紐２との結び目と止着具３の中空内壁とを一体に接着する。
この繊維紐２の他方の端部２″を、前記とほぼ同じの止着具（丸管）７の穴に、穴の先まで差込み、出てきた繊維紐２の端部２″を装飾体６の裏側に設けた通し穴６′に通して繊維紐２とその端部２″とを結び、前記と同様にすることにより結び目は止着具７の中に収納される。この止着具７の大きな穴から接着剤を注入して繊維紐２同志の結び目と止着具７の中空内壁とを一体に接着してヘアーゴム８を造る。なお、この実施例１のヘアーゴム及びその造り方では繊維紐の両端部を結んだ後に、装飾を兼ねた止着具と接着剤で接着止着したものについて説明したが、止着具などを用いずに単に結ぶだけの止着でもよいし、ゴム紐に設ける装飾体の数は１個又は２個でもよい。【００２０】  この実施例１のヘアーゴム８を長い髪に取付け使用する際は、図５図示のように、繊維紐付きリング状のゴム紐４のゴム紐１で長い髪を束ねて結束し、結束した長い髪９の表面の中央より左右方向に外れた繊維紐２の上端部をゴム紐１に絡ませながら中央に移動して装飾体５を下端に設けた繊維紐２を長い髪９の表面中央の位置から真下方向に吊下げる。
この繊維紐２を吊下げる際に、長い髪の周囲に繊維紐２をゴム紐１と長い髪９との間に通しながら巻付けたり、多く絡ませたりすることにより繊維紐の長さを使用者の髪の長さや使用者の希望に応じて吊下げ長さを調整する。
【実施例２】
【００２１】  ヘアーゴムは、図６に図示のように、リング状のゴム紐１１に、紐状物であるゴム紐１２の１方の端部１２′と合成樹脂紐１３の１方の端部１３′とを、外観が良く装飾を兼ねた楕円形の止着具（丸管）１４で止着して２本り紐付きリング状のゴム紐１５にする。
この２本り紐付きリング状のゴム紐１５に止着したゴム紐１２の他方の端部１２″には鈴の装飾体１６を止着具１７で止着し、止着した合成樹脂紐１３の他方の端部１３″には人工宝石の装飾体１８を止着具１９で止着して設けたヘアーゴム２０である。【００２２】  この実施例２のヘアーゴム２０を造る際や取付け使用する際は、段落「００１９」と「００２０」の記載とほぼ同じであるが、異なる点は、図７図示のように、２本の紐のうちのゴム紐１２を結束した長い髪２１の中間部周囲に巻付けてゴム紐１２の巻初めと巻終りとをのゴム紐同志を仮止め支着することによりゴム紐１２の長さを短くして使用者の髪の長さや使用者の希望に応じて２本の紐１２、１３の吊下げ長さを長短に調整する。なお、このこの実施例２のヘアーゴムでは楕円形の止着具（丸管）で止着することを説明したが、止着は断面コ字形などの止着具を用いて押し潰すなどして止着したり、普通の紐で結んで止着したりしてもよい。
【実施例３】
【００２３】  ヘアーゴムは、図８に図示のように、直線状のゴム紐３１の両端３１′，３１″と紐状物である１本の太幅レーステープ紐３２の両端部３２′，３２″とを、装飾を兼ねた止着具３３で止着してＵ字形で２本のレーステープ紐付きリング状のゴム紐３４にする。
このレーステープ紐付きリング状のゴム紐３４に止着したレーステープ紐３２の下側端部を装飾を兼ねた止着具３５より突出して設け、この止着具３５より突出したレーステープ紐３２のＵ字形のレーステープ紐３５′に、装飾体３７を移動自在に係止したリング３６を、係止するとともにＵ字形で２本のレーステープ紐３２の片側レーステープ紐に、大中小の３個の装飾体３８を、装飾体の裏側の穴にレーステープ紐を通して移動自在に係止して設けたヘアーゴム３９である。【００２４】  この実施例３のヘアーゴム３９を造る際や取付け使用する際は、段落「００１９」と「００２０」などの記載とほぼ同じであるが、異なる点を説明すると、先ずレーステープ紐３２の長さ半分位の１方に３個の装飾体３８を係止してから、ゴム紐２１の両端とレーステープ紐３２の両端部とを止着具３３で止着する。次に下部の止着具３５の挿入穴にレーステープ紐３２の下部を貫通させて突出させて形成させたＵ字形下部の輪状体に、予め装飾体３７を係止したおいた開閉自在のリング３６を、開けた状態で入れてリングを閉じて係止し、２本のレーステープ紐３２を引上げてからレーステープ紐の下端部と下部の止着具３５とを接着剤で接着して止着する。
片側レーステープ紐に係止した３個の装飾体２８はレーステープ紐が太幅で変形し易いために移動自在であるとともに装飾体の方向を変更可能のために位置と方向を変えて係止されるので、使用者の希望に応じて装飾的に綺麗な位置と方向に調整する。なお、この実施例３のヘアーゴムの造り方ではレーステープ紐のＵ字形下部の輪状体と下部の止着具とを接着剤で接着止着したものについて説明したが、止着具と接着剤を用いずに単にレーステープ紐のＵ字形下部の輪状体に開閉自在のリングを係止してもよい。
【図面の簡単な説明】
【００２５】
【図１】  本発明品の平面図である。
【図２】  同じく止着前の平面図である。
【図３】  同じく止着具の底面図である。
【図４】  同じく装飾体の拡大正面図である。
【図５】  同じく使用時の正面図である。
【図６】  別の本発明品の平面図である。
【図７】  同じく使用時の正面図である。
【図８】  更に別の本発明品の平面図である。
【符号の説明】
【００２６】  １    ゴム紐
２    紐状体
３    止着具
４    紐状体付きリング状のゴム紐
５    装飾体
６    装飾体
７    止着具
８    ヘアーゴム
【図１】
2009195664.tif 000003
【図２】
2009195664.tif 000004
【図５】
2009195664.tif 000005
【図３】
2009195664.tif 000006
【図４】
2009195664.tif 000007
【図６】
2009195664.tif 000008
【図７】
2009195664.tif 000009
【図８】
2009195664.tif 000010